【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
要求に応じて供給装置から連続して供給されるコード（４）をほぼ円環状の型の上に所望のコード軌跡に沿ってアーチ状に並べてタイヤ補強材を順次作成していく、ほぼ円環状の型（１）と協働して用いられる、タイヤ補強材を製造する装置であって、下記（ａ）〜（ｃ）：
（ａ）コードが自由にスライドできる案内部材（６）と、
（ｂ）幾何学回転軸線(３１Ｒ1a)を中心にとして運動し、幾何学回転軸線（３１Ｒ）から離れた所にヘッド（３１Ｔ）を有する少なくとも一本の第１往復動アーム（３１）を有する往復動アームシステム（３1a）と、
（ｃ）この往復動アームにその幾何学回転軸線(３１Ｒ1a)を中心とした往復運動をさせる駆動手段と、
を有し、上記第１往復動アームのヘッドは案内部材（６）を直接に運動させるか、別の往復動アームを介して間接的に運動させ、軌跡の各端部近傍で押圧装置（２Ｇ、２Ｄ）と協働してコードを型に押圧する装置において、
上記案内部材（６）は前記往復動アームシステム（３1a）によって型の上方を通る運動を行い、案内部材（６）と上記幾何学回転軸線（３１Ｒ）との距離が可変であることを特徴とする装置。
【請求項２】
上記往復動アームシステム（３1a）が別の幾何学回転軸線（３２Ｒ）を中心に往復動する第２アーム（３２）を有し、２つの幾何学回転軸線は互いにほぼ平行であり、第２アームは案内部材を直接に案内するか、他のアームを介して間接的に案内するヘッド（３２Ｔ）を有し、第１アーム（３１）のヘッド（３１Ｔ）が幾何学回転軸線（３２Ｒ）を中心に回転するように第２アーム（３２）を支持する請求項１に記載の装置。
【請求項３】
第２アーム（３２）のヘッド（３２Ｔ）が第２アームの幾何学回転軸線（３２Ｒ）から放射方向に離れている請求項２に記載の装置。
【請求項４】
案内部材を軌跡内でコードの所望の各端部近傍へ一連のサイクルで順次案内して、案内部材を円運動で案内する第１アームに対する第２アームの相対位置を変える手段を有する請求項２または３に記載の装置。
【請求項５】
第２アームのヘッド（３２Ｔ）が型の方へ向かって湾曲し、案内部材（６）を直接支持し、案内部材が軌跡の終点に接近した時に、少なくとも装置が想定した形状で型に案内部材を接近させる請求項２〜４に記載の装置。
【請求項６】
第１アーム（３１）が幾何学回転軸線に対してほぼ直角な方向を向いており、第２アーム（３２）が第１アームの幾何学回転軸線に対してほぼ平行な少なくとも１つの中間部品（３２Ｉ）を有する請求項２〜４のいずれか一項に記載の装置。
【請求項７】
幾何学回転軸線を含む第２アームのベース（３２０）が幾何学回転軸線に対してほぼ直角な方向を向いている請求項２〜６のいずれか一項に記載の装置。
【請求項８】
第１アームが、第１アームの幾何学回転軸線と同心な最初の固定ピニオン（３１１1）と、第２アームの幾何学回転軸線と同心で、この幾何学軸と一体な最後のピニオン（３１３1）と、第１ピニオンおよび第２ピニオンと噛合う中間ピニオン（３１２1）とを有する一連のピニオンを支持する請求項７に記載の装置。
【請求項９】
固定されたピニオン（３１１1a）の歯の数Ｎfが最後のピニオン（３１３1a）の歯の数Ｎeより少なく、Ｎf＝Ｎeで、第１アームが振幅αの往復動をし、このαは三角法で負であり、第２アームは型を中心として振幅β＝１８０℃−ａαの往復動をし、βが三角法で正である請求項８に記載の装置。
【請求項１０】
固定されたピニオン（３１１1b）の歯の数Ｎfが最後のピニオン（３１３1b）の歯の数Ｎeより多く、Ｎf＝ａＮeで、第１アームが型と反対の幾何学回転軸線側の空間で振幅αの往復動をし、第２アームは型を中心に振幅β＝ａαの往復動をし、上記のαおよびβは三角法で正である請求項８に記載の装置。
【請求項１１】
第１アーム（３１2b）が第１アームの幾何学回転軸線３１Ｒ2b）と同心で、回転しない第１プーリ（３６０2b）と、第２アームの幾何学回転軸線（３２Ｒ2b）と同心で、第２アームと一体の第２プーリ（３６１2b）とに取付けられた溝付きベルト（３６2b）を支持する請求項７に記載の装置。
【請求項１２】
第１アームの幾何学回転軸線と同心な固定カム（３３2a）を有し、第１アームはこのカムと嵌合するカム従動子（３４2a）を支持し、第１アームがシュー（３５2a）を有し、その運動はカム従動子で制御され、第２アームがその幾何学回転軸線にほぼ直角な、端部がリンク（３６2a）でシューに接続されているレバー（３１２2a）を有するカムを有する請求項２〜７のいずれか一項に記載の装置。
【請求項１３】
第２往復動アームのヘッドが案内部材を直接案内する請求項２〜１２の１項に記載の装置。
【請求項１４】
少なくとも一本のアーム（３１3a）が幾何学回転軸線（３１Ｒ3a）と交り、これにほぼ直角で、前記幾何学回転軸線（３１Ｒ3a）にほぼ平行な端部部品（３１Ｔ3a）を結合し、案内部材（６）を支持しする中心部品（３１Ｃ3a）を有し、中心部品（３１Ｃ3a）が幾何学回転軸線（３１Ｒ3ａ）に対して放射方向にスライドする請求項１に記載の装置。
【請求項１５】
固定カム（３３3a）と、前記カムと嵌合し、中心部品（３１Ｃ3a）と一体のカム従動子（３４3a）を有し、アーム（３１3a）の並進運動をカム従動子（３４3a）で制御する請求項１４に記載の装置。
【請求項１６】
少なくとも一本のアームの幾何学回転軸線が作業位置にある型と交り、案内部材（６）が型の周りを回るようにアームが形成および配置され、案内部材と型との間の相対運動が型の表面上のコードの所望軌跡を決定する請求項１〜１５の１項に記載の装置。
【請求項１７】
案内部材が第２往復動アームの端部の案内管であり、前記第２アームが中空で、コードがその内部を通るようになっている請求項１〜１６の１項に記載の装置。
【請求項１８】
往復動アームを駆動する手段が１つの運動面に描かれる周期的運動で案内部材（６）を運び、案内部材をこの軌跡内のコードの各所望端部の近傍に連続して順次接近させる請求項１〜１７のいずれか一項に記載の装置。
【請求項１９】
コード（４）を円環状の型の上に配置するための機能上の位置で第１往復動アームの幾何学回転軸線(３１Ｒ1a)が円環状の型と交差する請求項１〜１７のいずれか一項に記載の装置。
【請求項２０】
請求項１〜１１の１項に記載の装置を運動面に描かれる周期運動で用いて、案内部材を前記軌跡にあるコードの各所望端部に周期的に順次近付けるようにし、前記装置がさらに、案内部材の前記周期運動と同期するように運転して、コードを型の端部に貼り付ける押圧装置（２Ｇと２Ｄ）を前記軌跡の近くに有し、タイヤの一方のビードから他方のビードまでコードを取付け、ほぼ環状の型の表面上のコードの所望軌跡上に前記コードのアーチ部分を並べてタイヤ補強材を順次作成していくほぼ環状の型を用いて、要求に応じて供給装置から連続して供給されるコードから補強材を製造するタイヤの製造方法。
【請求項２１】
型の表面にコードのアーチ部分が並ぶように取付けて補強材を製造する請求項１９に記載の方法。
【手続補正２】
【補正対象書類名】明細書
【補正対象項目名】００３９
【補正方法】変更
【補正の内容】
【００３９】
図１１および図１２はＰＡＸシステムのタイヤの製造に適した実施例が示している。芯型１3はビード領域に独特の型を有する。図１１ではコードが取付けられる型またはシステムを支持するハウジングを描かずに往復動アームシステム３3aのみが示される。幾何学回転軸線３１Ｒ3aを有する往復動シャフト３Ｄ3aに設置された第１アーム３１3aが示される。この第１アーム３１3aは幾何学回転軸線３１Ｒ3aと交差し、これにほぼ直角な中心部品３１Ｃ3aを有する。本発明の装置は、アームの幾何学回転軸線を中心とするディスク３３０3aからくりぬかれた固定カム３３3aを有する。カム従動子３４3aは前記カムと嵌合する。カム従動子３４3aは中心部品３１Ｃ3aと一体であり、前記中心部品３１Ｃ3aは往復動シャフト３Ｄ3aに対して、従って幾何学回転軸線３１Ｒ3aに対して放射方向にスライドする。第１アーム３１3aの並進運動Ｍ２はカム従動子３４3aで制御する。
【手続補正３】
【補正対象書類名】明細書
【補正対象項目名】００４０
【補正方法】変更
【補正の内容】
【００４０】
往復動シャフト３Ｄ3aはそれ自体が前記の交互運動（図５の駆動ピニオン３１４1bに関する説明参照）で駆動され、運動Ｍ１を伝える駆動ピニオン３１４3aと一体である。角度α（図１２）は第１往復動アーム３１3aの瞬間位置を表す。角度αは取付けられたコードが軌跡の端部領域に達するのに十分な範囲で変化する。案内管６が、押圧装置２が用いられる位置を超えるのが好ましい。
中心部品３１Ｃ3aは、前記幾何学回転軸線３１Ｒ3aとほぼ平行で、案内部材６3aを支持する端部部品３１Ｔ3aを結合する。図の実施例では、アームが中心部分３１Ｃ3aと端部部品３１Ｔ3aとの間に直角３１Ｉ3aを成す。端部部品３１Ｔ3aの端部に案内管６3aがある。